(57)【要約】【課題】地震時等の大きな揺れに対して建築筐体からトラスが脱離してしまうことを未然に防止することができるマンコンベアトラス支持装置を得る。【解決手段】マンコンベアトラス支持装置に関し、建築筐体のコンクリート梁によってマンコンベアのトラスが支持されるマンコンベアトラス支持装置において、前記トラスの長手方向端部寄りに取付された第１スライドガイド枠と、前記コンクリート梁によって支持され、前記第１スライドガイド枠と摺動自在に係合した第２スライドガイド枠と、を備えた構成とする。【選択図】図５
2009107760.tif 000002
【特許請求の範囲】
【請求項１】
建築筐体のコンクリート梁によってマンコンベアのトラスが支持されるマンコンベアトラス支持装置において、
前記トラスの長手方向端部寄りに取付された第１スライドガイド枠と、
前記コンクリート梁によって支持され、前記第１スライドガイド枠と摺動自在に係合した第２スライドガイド枠と、を備えたことを特徴としたマンコンベアトラス支持装置。
【請求項２】
前記第１スライドガイド枠は、前記トラスの長手方向端部寄りの両側に対になって取付され、
前記第２スライドガイド枠は、平面視略コ字型であることを特徴とした請求項１に記載のマンコンベアトラス支持装置。
【請求項３】
一対の前記第１スライドガイド枠は、断面略コ字型であるとともに、その凹陥部が外向するようにして前記トラスの長手方向に亘ってそれぞれ取付されており、
前記第２スライドガイド枠は、その凹陥部が反前記トラス側に向くように配置された断面略コ字型の前側ガイド枠と、前記前側ガイド枠の前記トラス側の面の両端部にその一端がそれぞれ取付された断面略コ字型の一対の側面ガイド枠と、を具備したことを特徴とした請求項２に記載のマンコンベアトラス支持装置。
【請求項４】
前記第１スライドガイド枠と前記第２スライドガイド枠との間に挿入された摺動材を備えたことを特徴とした請求項１から請求項３のいずれかに記載のマンコンベアトラス支持装置。
【請求項５】
前記トラスの長手方向において、前記トラスと前記建築筐体とを離反させない向きに与圧する長手方向用ダンパーユニットを備えたことを特徴とする請求項１から請求項４のいずれかに記載のマンコンベアトラス支持装置。
【請求項６】
前記長手方向用ダンパーユニットは、バネ付油圧ダンパーを用いたことを特徴とする請求項５に記載のマンコンベアトラス支持装置。
【請求項７】
前記コンクリート梁に設けられ、その上面部の左右方向に亘ってガイド溝が刻設された支持板を備え、
前記第２スライドガイド枠は、前記ガイド溝に摺動自在に係合するガイド脚を具備したことを特徴とする請求項１から請求項６のいずれかに記載のマンコンベアトラス支持装置。
【請求項８】
前記第２スライドガイド枠と前記支持板との間に挿入された摺動材を備えたことを特徴とした請求項７に記載のマンコンベアトラス支持装置。
【請求項９】
前記第２スライドガイド枠の左右方向の振動を吸収する左右方向用ダンパーユニットを備えたことを特徴とした請求項７又は請求項８のいずれかに記載のマンコンベアトラス支持装置。
【請求項１０】
前記左右方向用ダンパーユニットは、バネ付ダンパーを用いたことを特徴とする請求項９に記載のマンコンベアトラス支持装置。
【発明の詳細な説明】
【技術分野】
【０００１】
この発明は、マンコンベアトラス支持装置に関するものである。
【背景技術】
【０００２】
従来におけるマンコンベアトラス支持装置においては、トラスの上下端部に取付した受梁によってマンコンベアを建築筐体に固定するとともに、前記建築筐体に取付した溝型鋼と前記受梁との間に硬質ゴムを挿入したものや（例えば、特許文献１参照）、マンコンベアの本体枠（トラス）を構成する下枠と上枠に固設された受枠（受梁）を支える支持台を建築筐体に設け、この下枠と上枠の少なくとも一方を支える、例えば鎖状の支持体を前記支持台に設けたものが知られている（例えば、特許文献２参照）。
また、建築筐体の上下階床に設けられた受板と、トラスに設けられたトラス支持アングルとを水平方向に摺動可能とし、かつ、摺動の移動量を制限するためのストッパ手段として前記トラス支持アングルと受板との双方に係合し合う突状のストッパを設けたものも知られている（例えば、特許文献３参照）。
【０００３】
【特許文献１】実開昭５５−０９２６７５号公報
【特許文献２】実開昭６１−０７５４８３号公報
【特許文献３】特開昭６１−２４３７９１号公報
【発明の開示】
【発明が解決しようとする課題】
【０００４】
しかしながら、特許文献１に示された従来におけるマンコンベアトラス支持装置においては、受梁と建築筐体の掛り代が小さく、地震時等の大きな揺れに対して建築筐体からトラスが脱離してしまうおそれがあるという課題がある。
そして、特許文献２に示された従来におけるマンコンベアトラス支持装置においては、地震時等の大きな揺れに対して建築筐体からトラスが脱離してしまった場合に、鎖状の支持体により、トラスが大きく落下してしまう事態を防止する効果があるが、やはり、特許文献１に示されたトラス支持装置と同様にトラス支持部と支持台との掛り代が小さいため、建築筐体からトラスが脱離してしまうことを未然に防止するには至っていないという課題がある。
また、特許文献３に示された従来におけるマンコンベアトラス支持装置においても、摺動可能距離を決めるストッバ間距離は受板とトラス支持アングルとの掛り代以上にはできないことから、特許文献１や特許文献２に示されたトラス支持装置同様、地震時等の大きな揺れに対しては建築筐体からトラスが脱離してしまうおそれがあるという課題がある。
【０００５】
この発明は、前述のような課題を解決するためになされたもので、地震時等の大きな揺れに対して建築筐体からトラスが脱離してしまうことを未然に防止することができるマンコンベアトラス支持装置を得るものである。
【課題を解決するための手段】
【０００６】
この発明に係る、マンコンベアトラス支持装置に関しては、建築筐体のコンクリート梁によってマンコンベアのトラスが支持されるマンコンベアトラス支持装置において、前記トラスの長手方向端部寄りに取付された第１スライドガイド枠と、前記コンクリート梁によって支持され、前記第１スライドガイド枠と摺動自在に係合した第２スライドガイド枠と、を備えた構成とする。
【発明の効果】
【０００７】
この発明はマンコンベアトラス支持装置に関し、建築筐体のコンクリート梁によってマンコンベアのトラスが支持されるマンコンベアトラス支持装置において、前記トラスの長手方向端部寄りに取付された第１スライドガイド枠と、前記コンクリート梁によって支持され、前記第１スライドガイド枠と摺動自在に係合した第２スライドガイド枠と、を備えた構成としたことで、地震時等の大きな揺れに対して建築筐体からトラスが脱離してしまうことを未然に防止することができるという効果を奏する。
【発明を実施するための最良の形態】
【０００８】
実施の形態１．
図１から図８は、この発明の実施の形態１に関するもので、図１はトラス端部と建築筐体の鉛直断面図、図２はトラス端部と建築筐体の平面図、図３は図１中の切断面Ａ−Ａで切断した断面図、図４は図３中のＢ部を拡大した拡大図、図５はトラス端部と建築筐体との関係を示す分解斜視図、図６はトラス前面の要部拡大斜視図、図７は図６中の切断面Ｃ−Ｃで切断した断面図、図８は図１のトラス端部が建築筐体から離反する向きへと動いた状態を示すトラス端部と建築筐体の鉛直断面図である。なお、図２、図５及び図６においては、理解を容易にするため、マンホールカバー、渡板、床板類の図示を省略している。
図において１はマンコンベアのトラスで、このトラス１の長手方向先端部の前面上端寄りには断面略Ｌ字型の先端梁１ａが、その一外側面が前記トラス１の長手方向先端部の上面と略面一となるようにして前記トラス１の長手方向先端部のほぼ全幅に亘り取付されている。また、前記トラス１の長手方向端部寄りの両側面上端寄りには断面略コ字型をした一対の第１スライドガイド枠１ｂが、その一外側面が前記トラス１の長手方向先端部の上面と略面一となるように、かつ、その凹陥部が外向するようにして前記トラス１の長手方向に亘ってそれぞれ取付されている。
２は建築筐体のコンクリート梁で、このコンクリート梁２の上面及び前面を覆うようにして側面視略Ｌ字型の支持板３が、アンカーボルト３ａにより取付されている。なお、２ａは前記コンクリート梁２から前記トラス１の側方へと突設されたツノ梁である。
４は平面視略コ字型の第２スライドガイド枠で、主として、その凹陥部が反前記トラス１側に向くように配置された断面略コ字型の前側ガイド枠４ａと、この前側ガイド枠４ａの前記トラス１側の面（すなわち、反凹陥部側の面）の両端部にその一端がそれぞれ取付された断面略コ字型の一対の側面ガイド枠４ｂと、からなっており、一対の前記側面ガイド枠４ｂはその凹陥部が互いに内向するように取付されている。そして、前記前側ガイド枠４ａの下面には、その一端が折曲されてガイド脚５ａが形成された脚付き板５が、このガイド脚５ａが反前記トラス１側の下方へと突出する向きに取付されている。
【０００９】
前記支持板３の上面部には前記トラス１の長手方向と直交する方向に亘ってガイド溝３ｂが刻設されており、前記脚付き板５の前記ガイド脚５ａが前記ガイド溝３ｂに摺動自在に係合する。
また、前記第１スライドガイド枠１ｂと前記第２スライドガイド枠４の前記側面ガイド枠４ｂとが、その凹陥部を互いに向き合わせるように組み合って摺動自在に係合する。この際、前記第１スライドガイド枠１ｂが上側、前記側面ガイド枠４ｂが下側になるように組み合う。
なお、前記第１スライドガイド枠１ｂと前記側面ガイド枠４ｂとの間、前記先端梁１ａと前記前側ガイド枠４ａの上面との間、及び、前記前側ガイド枠４ａの下面と前記支持板３との間には摺動材６がそれぞれ挿入されている。
【００１０】
前記トラス１の両側方には、一端が前記トラス１の側部に、他端が前記建築筐体に、それぞれダンパー支持金具８ａを介して固定された一対の長手方向用ダンパーユニット７が設けられており、前記トラス１と前記建築筐体とが離反しないように与圧している。なお、ここでは、前記長手方向用ダンパーユニット７としてバネ付油圧ダンパーを用いている。
前記第２スライドガイド枠４の反前記トラス１側には、一端が前記前側ガイド枠４ａの反前記トラス１側の中央部に設けられた受部兼ダンパー支持部８ｂに、他端が前記コンクリート梁２に、それぞれダンパー支持金具８ａを介して固定された一対の左右方向用ダンパーユニット９が設けられており、前記トラス１の位置が前記トラス１の長手方向と直交する方向（左右方向）にずれた場合に正常設置位置（中央位置）へと復元する向きに与圧している。なお、ここでは、前記左右方向用ダンパーユニット９としてバネ付ダンパーを用いている。
また、マンホールカバー１０、渡板１１及び床板１２が受金具１３を介して前記トラス１及び前記コンクリート梁２の上方を覆うように設けられている。
【００１１】
地震が発生して、当該マンコンベアが設置されている建屋が揺れると、前記トラス１と前記建築筐体とが離反する向きにも力が働くが、前記長手方向用ダンパーユニット７により前記トラス１と前記建築筐体とが離反する向きとは逆向きに与圧しているため、前記トラス１と前記建築筐体とが不用意に離反することがない。
仮に、地震による前記トラス１と前記建築筐体とを離反する向きに働く力が、前記長手方向用ダンパーユニット７の与圧を上回り、前記トラス１が前記建築筐体から離反する向きに動いたとしても、図８に示すように、前記第１スライドガイド枠１ｂと前記側面ガイド枠４ｂとが摺動しつつ、前記トラス１を支持するため、前記トラス１が前記建築筐体から脱離することがない。
また、前記支持板３と前記第２スライドガイド枠４とは、前記脚付き板５の前記ガイド脚５ａが、前記支持板３の前記ガイド溝３ｂに案内されながら摺動自在に係合しており、その摺動可能方向は左右方向に限定され、前記トラス１の長手方向には摺動しないようになっている。地震が発生し左右方向に振動した際には、前記左右方向用ダンパーユニット９によりその振動を吸収し、前記トラス１と前記建築筐体とが不用意に左右方向にずれてしまうことを防ぐ。
【００１２】
以上のように構成されたマンコンベアトラス支持装置においては、地震時等の大きな揺れが発生した場合に、第１スライドガイド枠と第２スライドガイド枠とが摺動しつつトラスを支持することにより、トラスと建築筐体との実質的な掛り代を大きくすることができ、地震時等の大きな揺れに対して建築筐体からトラスが脱離してしまうことを未然に防止することが可能である。
【図面の簡単な説明】
【００１３】
【図１】この発明の実施の形態１におけるトラス端部と建築筐体の鉛直断面図である。
【図２】この発明の実施の形態１におけるトラス端部と建築筐体の平面図である。
【図３】この発明の実施の形態１における図１中の切断面Ａ−Ａで切断した断面図である。
【図４】この発明の実施の形態１における図３中のＢ部を拡大した拡大図である。
【図５】この発明の実施の形態１におけるトラス端部と建築筐体との関係を示す分解斜視図である。
【図６】この発明の実施の形態１におけるトラス前面の要部拡大斜視図である。
【図７】この発明の実施の形態１における図６中の切断面Ｃ−Ｃで切断した断面図である。
【図８】この発明の実施の形態１における図１のトラス端部が建築筐体から離反する向きへと動いた状態を示すトラス端部と建築筐体の鉛直断面図である。
【符号の説明】
【００１４】
１    トラス
１ａ  先端梁
１ｂ  第１スライドガイド枠
２    コンクリート梁
２ａ  ツノ梁
３    支持板
３ａ  アンカーボルト
３ｂ  ガイド溝
４    第２スライドガイド枠
４ａ  前側ガイド枠
４ｂ  側面ガイド枠
５    脚付き板
５ａ  ガイド脚
６    摺動材
７    長手方向用ダンパーユニット
８ａ  ダンパー支持金具
８ｂ  受部兼ダンパー支持部
９    左右方向用ダンパーユニット
１０    マンホールカバー
１１    渡板
１２    床板
１３    受金具
【図１】
2009107760.tif 000003
【図２】
2009107760.tif 000004
【図３】
2009107760.tif 000005
【図４】
2009107760.tif 000006
【図５】
2009107760.tif 000007
【図６】
2009107760.tif 000008
【図７】
2009107760.tif 000009
【図８】
2009107760.tif 000010